(57)【要約】【課題】カバー部を開く際に、前方への突出量が比較的少なくてすみ、開放状態を維持できるカバー部を備えたコンセントユニットとすること。【解決手段】充電プラグ９２を接続するコンセントを有する本体部１２と、本体部１２に摺動させるカバー部１３と、を備え、本体部１２とカバー部１３の各々には、カバー部１３を上下にスライドさせるために用いるガイド部１５，３８を備え、本体部１２には、ガイド部１５よりも前方に、カバー部１３を係止させる係止部１６，１７を設けたコンセントユニット１とする。【選択図】図１５
2020047513.tif 000002
【特許請求の範囲】
【請求項１】
充電プラグを接続するコンセントを有する本体部と、
本体部に摺動させるカバー部と、を備え、
本体部とカバー部の各々には、カバー部を上下にスライドさせるために用いるガイド部を備え、
本体部には、ガイド部よりも前方に、カバー部を係止させる係止部を設けたコンセントユニット。
【請求項２】
本体部に設けたガイド部よりも前方かつ下側に係止部を設け、
カバー部をスライド移動後、カバー部の下端を前側に移動させて落とし込むことで、係止部にカバー部を係止させることができる請求項１に記載のコンセントユニット。
【請求項３】
カバー部が前方向に移動することを規制する第一の係止部と、カバー部が下方向に移動することを規制する第二の係止部を備え、
第一の係止部と第二の係止部が、上下及び前後にずれるように設けられた請求項２に記載のコンセントユニット。
【請求項４】
第二の係止部が、後上方向に向かって傾斜する傾斜部を備えた請求項３に記載のコンセントユニット。
【請求項５】
カバー部の下端を前側に移動させる際に、ガイド部の一部が支点として機能する請求項１乃至４の何れかに記載のコンセントユニット。
【請求項６】
本体部とカバー部の各々には、カバー部のスライド移動を規制させるために用いる規制部を備え、
本体部には、カバー部が上方に移動することを規制する規制部をガイド部よりも下方に設け、
本体部に設けた規制部とカバー部に設けた規制部が当接した状態から、カバー部の下端を前方側に移動可能とした請求項５に記載のコンセントユニット。
【発明の詳細な説明】
【技術分野】
【０００１】
本発明は、コンセントユニットに関するものである。
【背景技術】
【０００２】
特許文献１に記載されているように、車両への充電を行うためのプラグが接続されるコンセントが知られている。特許文献１に記載の技術では、コンセント本体に対して蝶番を介してカバー部が前方側に開くことができるように取り付けられており、カバー部を開放させてプラグを接続するものである。
【先行技術文献】
【特許文献】
【０００３】
【特許文献１】特開２０１２−０９４３２６号公報
【０００４】
ところで、特許文献１に記載のカバー部を開けるには、蝶番を支点としてカバー部が回動するための空間がコンセントの前方側に必要となる。また、プラグを差し込む際には、カバー部が閉じられないように保持する必要があるが、車載ケーブルやＣＣＩＤを持った状態でカバー部を開ける場合には、その作業が行い難いものであった。
【発明の概要】
【発明が解決しようとする課題】
【０００５】
本件の発明者は、この点について鋭意検討することにより、解決を試みた。本発明の課題は、カバー部を開く際に、前方への突出量が比較的少なくてすみ、開放状態を維持できるカバー部を備えたコンセントユニットとすることである。
【課題を解決するための手段】
【０００６】
上記課題を解決するため、充電プラグを接続するコンセントを有する本体部と、本体部に摺動させるカバー部と、を備え、本体部とカバー部の各々には、カバー部を上下にスライドさせるために用いるガイド部を備え、本体部には、ガイド部よりも前方に、カバー部を係止させる係止部を設けたコンセントユニットとする。
【０００７】
また、本体部に設けたガイド部よりも前方かつ下側に係止部を設け、カバー部をスライド移動後、カバー部の下端を前側に移動させて落とし込むことで、係止部にカバー部を係止させることができる構成とすることが好ましい。
【０００８】
また、カバー部が前方向に移動することを規制する第一の係止部と、カバー部が下方向に移動することを規制する第二の係止部を備え、第一の係止部と第二の係止部が、上下及び前後にずれるように設けられた構成とすることが好ましい。
【０００９】
また、第二の係止部が、後上方向に向かって傾斜する傾斜部を備えた構成とすることが好ましい。
【００１０】
また、カバー部の下端を前側に移動させる際に、ガイド部の一部が支点として機能する構成とすることが好ましい。
【００１１】
また、本体部とカバー部の各々には、カバー部のスライド移動を規制させるために用いる規制部を備え、本体部には、カバー部が上方に移動することを規制する規制部をガイド部よりも下方に設け、本体部に設けた規制部とカバー部に設けた規制部が当接した状態から、カバー部の下端を前方側に移動可能とした構成とすることが好ましい。
【発明の効果】
【００１２】
本発明では、カバー部を開く際に、前方への突出量が比較的少なくてすみ、開放状態を維持できるカバー部を備えることで、コンセントへのプラグの接続作業が容易に行えるコンセントユニットとすることが可能となる。また、プラグの接続作業後に、の開放状態から閉塞状態への移行作業を低減することができる。
【図面の簡単な説明】
【００１３】
【図１】カバー部が閉塞状態にあるコンセントユニットの斜視図である。但し、充電プラグがコンセントユニットに接続されている。
【図２】カバー部が閉塞状態にあるコンセントユニットの側面図である。但し、充電プラグがコンセントユニットに接続されている。
【図３】カバー部が開放状態にあるコンセントユニットの斜視図である。但し、充電プラグがコンセントユニットに接続されている。
【図４】カバー部が開放状態にあるコンセントユニットの側面図である。但し、充電プラグがコンセントユニットに接続されている。
【図５】コンセントユニットの分解斜視図である。但し、前面側が見えるように表している。
【図６】コンセントユニットの分解斜視図である。但し、後面側が見えるように表している。
【図７】本体部の斜視図である。但し、後面側が見えるように表している。
【図８】本体部の斜視図である。但し、前面側が見えるように表している。
【図９】カバー部の一部を切断した状態におけるコンセントユニットの平面図である。
【図１０】閉塞状態から開放状態に移動途中の状態を表したコンセントユニットの断面図である。
【図１１】カバー部を一番上まで移動させた状態を表したコンセントユニットの断面図である。
【図１２】図１１に示す状態からカバー部を傾けた状態を表したコンセントユニットの断面図である。
【図１３】カバー部を傾けた状態を表したコンセントユニットの斜視図である。但し、後面側が見えるように表している。
【図１４】規制部用逃げ部周りを拡大した断面図である。
【図１５】開放状態となるようにカバー部が保持された状態を表したコンセントユニットの断面図である。
【発明を実施するための形態】
【００１４】
以下に発明を実施するための形態を示す。図１乃至図４に示されていることから理解されるように、本実施形態のコンセントユニット１は、充電プラグ９２を接続するコンセントを有する本体部１２と、本体部１２に摺動させるカバー部１３と、を備えている。また、本体部１２とカバー部１３の各々には、カバー部１３を上下にスライドさせるために用いるガイド部を備えている。更には、本体部１２には、ガイド部１５よりも前方に、カバー部１３を係止させる係止部を設けている。このため、カバー部１３を開く際に、前方への突出量が比較的少なくてすみ、開放状態を維持できるカバー部１３を備えたコンセントユニット１とすることが可能となる。なお、このような構成とすることで、工具などを用いることなく、カバー部１３を保持させることができる。
【００１５】
実施形態のコンセントユニット１は、車の充電に用いる充電プラグ９２を接続することができる。充電プラグ９２を接続するコンセントは、充電プラグ９２を斜め下方向から差し込めるように本体部１２に設けられている。また、このコンセントユニット１は、下面と本体部１２側が開口したカバー部１３が備えられている。
【００１６】
実施形態のコンセントユニット１は、設置面に固定される本体部１２に対して、カバー部１３が上下方向に摺動できるように取り付けられている。図１及び図２に示すように、カバー部１３が下方に位置している状態は閉塞状態であり、図３及び図４に示すように、充電プラグ９２が見えやすいようにカバー部１３が上方に位置している状態は開放状態である。
【００１７】
このカバー部１３は上方向に移動させて開放状態とさせた後、開放状態を維持させるために、本体部１２に係止させることができる。この際、カバー部１３の下端をやや前側に移動させて落とし込むことで、係止部にカバー部１３を係止させることができる。このため、開放状態を維持する際の、カバー部１３の前方向への移動距離を比較的短くすることができる。このようなことを可能とするため、実施形態では、本体部１２に設けたガイド部１５よりも前方かつ下側に係止部を設けている（図５及び図６参照）。
【００１８】
ここで、本体部１２について説明する。本体部１２は、上部にコンセントなどが配置されており、コンセントを覆うように覆い部２１が設けられている。コンセントの接続口は、この覆い部２１の下方から充電プラグ９２を接続することができるように配置されている。なお、コンセントの接続口は、通常、ばね付勢された板状の被覆部２２により覆われており、この被覆部２２を回動させて開くことにより、充電プラグ９２をコンセントと接続させることができる。
【００１９】
図７及び図８に示すことから理解されるように、実施形態の本体部１２の上部には覆い部２１が設けられているが、覆い部２１の下方には、充電プラグ９２を接続する際に利用されるスペースが設けられている。また、図７に示すことから理解されるように、本体部１２の後方側は、壁面などに取り付けることができるように、略平らな板状に設けられている。この本体部１２の後方側には、コンセントに繋がる電源線が通過可能な開口孔２３が設けられている。
【００２０】
本体部１２の両側面にはガイド部１５が設けられている。実施形態のガイド部１５は、長手方向が上下方向となるものである。このガイド部１５はコンセントの接続口よりも上方に設けられており、覆い部２１の側面に設けられている。このガイド部１５よりも前方かつ下側に第一の係止部１６と第二の係止部１７を設けている。第一の係止部１６は、カバー部１３が前方向に移動することを規制するものであり、第二の係止部１７は、カバー部１３が下方向に移動することを規制するものである。これら第一の係止部１６と第二の係止部１７は、上下及び前後にずれるように設けられている。このため、開放状態を維持する際の、カバー部１３の前方向への移動距離を比較的短くすることができる。
【００２１】
実施形態においては、この第一の係止部１６と第二の係止部１７がカバー部１３の一部を挟み込むようにすることでカバー部１３の前後方向の移動を抑制するとともに、第二の係止部１７でカバー部１３が下方に移動することを抑制する。また、カバー部１３に設けたガイド部３８を構成するガイドレールのうち、前方側に位置する部分がこれらの係止部により係止されることで、カバー部１３が保持され、開放状態が維持される。なお、カバー部１３の両側面には、内側から突出するようにガイド部３８が設けられている。
【００２２】
図８に示すように、実施形態の第二の係止部１７は、後上方向に向かって傾斜する傾斜部１８を備えた構成としている。このため、カバー部１３を後上方側に押し込むように力をかければ、第二の係止部１７がガイドするようにカバー部１３がスライド移動可能な位置まで移動する。この状態とした後にカバー部１３に掛けた力を取り除くと、カバー部１３は下方に摺動し、閉塞状態とすることができる。つまり、カバー部１３を後方側に押し込む、または持ち上げるようにするだけで、開放状態から閉塞状態へと移行することができる。
【００２３】
なお、図９に示すことから理解されるように、実施形態においては、本体部１２に設けられたガイド部１５は、カバー部１３に設けられたガイド部３８により構成された第一の溝部３４に嵌っている。また、本体部１２に設けられたガイド部１５は後面側に突出する引掛片２４を備えている。この引掛片２４は、カバー部１３の左右方向への移動を抑制するように機能する。なお、この引掛片２４は前面側に突出させるようには形成しないのが好ましい。引掛片２４を前面側に突出させると、係止部に係止させる際に、カバー部１３が前方に移動しなければならない距離が長くなるからである。
【００２４】
本体部１２に設けられた規制部１９は、第二の溝部３５に嵌められる。この第二の溝部３５は、第一の溝部３４と平行となるように延びている。実施の形態ではカバー部本体３２に取り付けられる取付部品３３により第一の溝部３４と第二の溝部３５がカバー部１３に設けられるが、この取付部品３３はビス９４によりカバー部本体３２に取り付けられる。実施形態では、この取付部品３３の取り付けに用いられたビス９４の一部がカバー部１３側に設けられる規制部２５として機能する。
【００２５】
閉塞状態から開放状態にし、係止部に係止させるまでの流れを図１０から図１５に示す図を例に挙げて、詳細に説明する。図１０に示すことから理解されるように、閉塞状態から開放状態にする途中では、カバー部１３に設けられたレール状のガイド部３８が、本体部１２に備えられた側面視略長方形状のガイド部１５に沿うように移動する。レール状のガイド部３８に挟まれるガイド部１５が側面視略長方形状であるので、カバー部１３がスライド移動する際のガタツキを抑制することができる。
【００２６】
ところで、本体部１２とカバー部１３の各々には、カバー部１３のスライド移動を規制させるために用いる規制部を備えているが、本体部１２には、カバー部１３が上方に移動することを規制する規制部１９をガイド部１５よりも下方に設けている。
【００２７】
実施形態における本体部１２に設けた規制部１９は、図７及び図８に示すことから理解されるように、凸状である。また、カバー部１３側は、カバー部本体３２に取付部品３３を取り付けるビス９４を規制部２５としている。規制部２５として機能するビス９４は、カバー部１３の上方への移動を規制するものと下方への移動を規制するものがある。これらのビス９４は本体部１２に設けられた規制部１９が嵌る第二の溝部３５の内側に突出している。このような構成とすることにより、カバー部１３が上下方向に移動する範囲を制限している。本体部１２の規制部１９は、カバー部１３の上下のビス９４間に形成するとともに、ガイド部１５により前後の移動を規制することができるのでカバー部１３が外れることはない。カバー部１３は下方のビス９４を取り外すことによって着脱させることが可能である。
【００２８】
カバー部１３を上昇させ、本体部１２に設けた規制部１９が、カバー部１３の下側に設けた規制部２５に当たる状態とする（図１１参照）。実施形態では、本体部１２に設けた規制部１９とカバー部１３に設けた規制部２５が当接した状態から、カバー部１３の下端を前方側に移動可能としているため、図１１に示した状態からカバー部１３の下端を前方側に移動させ、図１２に示すようにカバー部１３を傾ける。
【００２９】
実施形態では、カバー部１３の下端を前側に移動させる際、図１４に示すことから理解されるように、ガイド部１５の一部が支点１５ａとして機能する。詳しくは、ガイド部３８の第一の溝部３４と第２の溝部３５を仕切るためのレール部３８ａにガイド部１５の一部が当接し支点１５ａとなる。このため、カバー部１３の下端部のみが前方に移動することになり、カバー部１３の前方への突出量を抑制することができる。なお、実施形態ではカバー部１３の下端を前方側に所定の距離だけ移動させると、第一の係止部１６に当接する。また、本体部１２には、カバー部１３が上方に移動することを規制する規制部１９をガイド部１５よりも下方に設け、本体部１２に設けた規制部１９とカバー部１３に設けた規制部２５が当接した状態から、カバー部１３の下端を前方側に移動可能としているため、カバー部１３を上方向にスライド移動させた後、カバー部１３の下端の前方側の移動にスムーズに移行でき、カバー部１３の移動の際に目視確認の必要性が無い。
【００３０】
図１３及び図１４に示すことから理解されるように、実施形態においては、本体部１２に設けた規制部１９とカバー部１３に設けた規制部２５が当接した状態から、カバー部１３の下端を前方側に移動させた際、本体部１２に設けた規制部１９が、第二の溝部３５からはみ出すことができるように、規制部用逃げ部３６を設けている。実施形態の規制部用逃げ部３６は、第二の溝部３５を構成する部位の一部を切り欠くことで設けている。
【００３１】
また、本体部１２に設けた規制部１９とカバー部１３に設けた規制部２５が当接した状態から、カバー部１３の下端を前方側に移動させた際、本体部１２に設けたガイド部１５が、第一の溝部３４からはみ出すことができるように、レール部３８ａにガイド部用逃げ部３７を設けている。
【００３２】
図１２に示した状態のようにカバー部１３を第一の係止部１６に当てた状態としてから、カバー部１３を下方に所定の距離だけ移動させると、カバー部１３は第二の係止部１７に当接する。この状態とすれば、カバー部１３が開放状態で保持されることになる。
【００３３】
ところで、実施形態のカバー部１３には孔部３９が設けられている。この孔部３９はカバー部１３を閉塞状態とした際に、本体部１２に設けた孔部２９と繋がるように設けられている。このため、南京錠などの錠部の一部を孔部２９と孔部３９に通して、ロックすれば、カバー部１３が開放状態となることを防ぐことができる。こちらは、使用中に充電プラグ９２を抜かれることを防止するとともに、充電プラグ９２を接続していない状態でも、ロックしておくことにより被覆部２２を動作させたり、コンセント接続部に触れることを防止することができる。なお、カバー部１３の上部は充電プラグ９２を仮置きできるように凹状となっている。
【００３４】
以上、実施形態を例に挙げて本発明について説明してきたが、本発明は上記実施形態に限定されることはなく、各種の態様とすることが可能である。例えば、係止部である第一の係止部と第二の係止部は、別々の突出部に形成されているが、一続きの突出部により第一の係止部と第二の係止部を構成するようにしても良い。
【符号の説明】
【００３５】
１  コンセントユニット
１２  本体部
１３  カバー部
１５  ガイド部（本体部）
１６  第一の係止部
１７  第二の係止部
１８  傾斜部
１９  規制部（本体部）
２５  規制部（カバー部）
９２  充電プラグ
【図１】
2020047513.tif 000003
【図２】
2020047513.tif 000004
【図３】
2020047513.tif 000005
【図４】
2020047513.tif 000006
【図５】
2020047513.tif 000007
【図６】
2020047513.tif 000008
【図７】
2020047513.tif 000009
【図８】
2020047513.tif 000010
【図９】
2020047513.tif 000011
【図１０】
2020047513.tif 000012
【図１１】
2020047513.tif 000013
【図１２】
2020047513.tif 000014
【図１３】
2020047513.tif 000015
【図１４】
2020047513.tif 000016
【図１５】
2020047513.tif 000017